(57)【要約】【課題】各設定項目の設定条件の選択を迅速且つ簡易に行うことができ、操作性の向上を図ることができる入力装置及びテープ印字装置を提供する。【解決手段】Ｓ６１において、現在設定されている文字種類が記憶されている順序欄を「順序１」〜「順序５」のうちから特定後、この特定した順序欄の次の順序欄に「大文字」等が記憶されている場合には（Ｓ６２：ＹＥＳ）、Ｓ６３において、この次の順序欄に記憶されている文字種類を新たな文字入力モードとした後、メインフローチャートに戻る。一方、この特定した順序欄の次の順序欄に「大文字」等が記憶されていない場合には（Ｓ６２：ＮＯ）、Ｓ６４において、当該「シフト」の「順序１」〜「順序５」の順序欄のうち「大文字」等が記憶されている最初の順序欄を特定し、この順序欄に記憶されている文字種類を新たな文字入力モードとした後、メインフローチャートに戻る。【選択図】  図１４
2004299180.tif 000002
【特許請求の範囲】
【請求項１】
複数の入力キーを備えるキー入力手段と、表示手段と、
出力用データの入力又は編集に係る複数種類の設定項目のそれぞれに対応して設定可能な複数の設定条件が所定順番で予め記憶される初期設定パターンを格納する初期設定情報記憶手段と、
前記キー入力手段によるキー入力に応じて、前記各設定項目に対応する複数の設定条件を前記表示手段に表示する表示制御手段と、
前記表示制御手段によって表示された各設定項目の設定条件を該設定項目の設定条件として指定する指定手段と、
前記指定手段によって指定された各設定項目の設定条件に従って前記出力用データの入力編集を行うように制御する入力編集制御手段と、
を備えた入力装置において、
前記初期設定パターンに記憶される各設定項目に対応する複数の設定条件から任意の設定条件を少なくとも１個ずつ選択する設定条件選択手段と、
前記設定条件選択手段によって選択された設定条件を各設定項目に対応する新設定パターンとして登録する登録手段と、
を備え、
前記表示制御手段は、前記新設定パターンが登録されている場合には、該新設定パターンに記憶される各設定項目に対応する複数の設定条件を前記表示手段に表示し、前記新設定パターンが登録されていない場合には、前記初期設定パターンに記憶される各設定項目に対応する複数の設定条件を前記表示手段に表示することを特徴とする入力装置。
【請求項２】
前記登録手段により登録された複数種類の新設定パターンから一の新設定パターンを選択するパターン選択手段を備え、
前記表示制御手段は、前記新設定パターンが登録されている場合には、前記パターン選択手段を介して選択された新設定パターンに記憶される各設定項目に対応する複数の設定条件を前記表示手段に表示することを特徴とする請求項１に記載の入力装置。
【請求項３】
前記登録手段に登録されている任意の新設定パターンを削除するパターン消去手段を備えたことを特徴とする請求項１又は請求項２に記載の入力装置。
【請求項４】
前記登録手段は、前記キー入力手段によるキー入力に応じて、前記設定条件選択手段によって選択された設定条件を各設定項目に対応する新設定パターンとして保持するための書き換え可能なメモリからなる設定条件保持手段と、
その設定条件保持手段で保持された前記新設定パターンを格納するための書き換え可能な不揮発性メモリからなる新設定情報記憶手段と、
を備えたことを特徴とする請求項１乃至請求項３のいずれかに記載の入力装置。
【請求項５】
前記初期設定情報記憶手段は、前記新設定情報記憶手段とは別の読み出し専用不揮発性メモリで形成され、前記新設定情報記憶手段は、書き換え可能な不揮発性メモリで形成されていることを特徴とする請求項４に記載の入力装置。
【請求項６】
前記初期設定情報記憶手段は、前記新設定情報記憶手段とは別の書き換え可能な不揮発性メモリで形成されていることを特徴とする請求項４に記載の入力装置。
【請求項７】
前記初期設定情報記憶手段及び前記新設定情報記憶手段は、同一不揮発性メモリ上に設けられていることを特徴とする請求項４に記載の入力装置。
【請求項８】
装置本体に収納されるテープカセットと、入力装置と、前記入力装置によって入力又は編集された文字を前記テープカセットに収納される長尺状のテープに印字する印字手段と、を備えたテープ印字装置において、
前記入力装置は、請求項１乃至請求項７のいずれかに記載された入力装置であることを特徴とするテープ印字装置。
【発明の詳細な説明】
【０００１】
【発明の属する技術分野】
本発明は、出力用データの入力又は編集に係る複数種類の設定項目のそれぞれに対応する設定条件の設定をキー入力による選択操作で行うことができる入力装置及びテープ印字装置に関するものである。
【０００２】
【従来の技術】
従来から、出力用データの入力又は編集に係る複数種類の設定項目のそれぞれに対応する設定条件の設定をキー入力による選択操作で行うことができる入力装置などが種々提案されている。
例えば、キー入力操作により複数の設定項目を持つあるフォーマットを画面表示するフォーマット設定画面表示手段と、フォーマット設定画面表示手段により画面表示されたフォーマットの複数の設定項目の中からある設定項目を選択する項目選択手段と、項目選択手段により選択された設定項目について複数のパラメータの中からあるパラメータを選択するパラメータ選択手段と、この項目選択手段により項目を選択操作している最中に、またはパラメータ選択手段令によりパラメータを選択操作している最中に、パラメータを所定の初期値に設定する初期設定手段とから構成される入力装置がある（例えば、特許文献１参照）。
【０００３】
【特許文献１】
特開平５−３４１８９９号公報（段落（００２２）〜（００３２）、図４〜図７）
【０００４】
【発明が解決しようとする課題】
しかしながら、上述した従来の入力装置においては、初期設定手段により各設定項目についてのパラメータ（設定条件）を所定の初期値に設定することができるが、再度、各設定項目を設定するためには、所定順番で表示される多くの設定条件から所望の設定条件をキー入力操作により選択しなければならない。従って、主として使用する設定条件の数が少ない場合には、各設定項目の設定時に不要な多くの設定条件も一緒に表示されているため、キー入力回数が多くなり設定条件の設定作業が煩雑になるという問題がある。また、この問題は、設定条件の個数が増加するに従ってより顕著になってくる。
【０００５】
そこで、本発明は、上述した問題点を解決するためになされたものであり、初期設定パターンに記憶される各設定項目に対応する複数の設定条件から任意の設定条件を少なくとも１個ずつ選択して各設定項目に対応する新設定パターンとして書き換え可能な不揮発性メモリに記憶し、この新設定パターンが登録されている場合には、該新設定パターンに記憶される各設定項目に対応する複数の設定条件を選択可能な設定条件とすることによって、各設定項目の不要な設定条件を削除することができると共に、各設定項目の設定条件の選択を迅速且つ簡易に行うことができ、操作性の向上を図ることができる入力装置及びテープ印字装置を提供することを目的とする。
【０００６】
【課題を解決するための手段】
前記目的を達成するため請求項１に係る入力装置は、複数の入力キーを備えるキー入力手段と、表示手段と、出力用データの入力又は編集に係る複数種類の設定項目のそれぞれに対応して設定可能な複数の設定条件が所定順番で予め記憶される初期設定パターンを格納する初期設定情報記憶手段と、前記キー入力手段によるキー入力に応じて、前記各設定項目に対応する複数の設定条件を前記表示手段に表示する表示制御手段と、前記表示制御手段によって表示された各設定項目の設定条件を該設定項目の設定条件として指定する指定手段と、前記指定手段によって指定された各設定項目の設定条件に従って前記出力用データの入力編集を行うように制御する入力編集制御手段と、を備えた入力装置において、前記初期設定パターンに記憶される各設定項目に対応する複数の設定条件から任意の設定条件を少なくとも１個ずつ選択する設定条件選択手段と、前記設定条件選択手段によって選択された設定条件を各設定項目に対応する新設定パターンとして登録する登録手段と、を備え、前記表示制御手段は、前記新設定パターンが登録されている場合には、該新設定パターンに記憶される各設定項目に対応する複数の設定条件を前記表示手段に表示し、前記新設定パターンが登録されていない場合には、前記初期設定パターンに記憶される各設定項目に対応する複数の設定条件を前記表示手段に表示することを特徴とする。
【０００７】
このような特徴を有する請求項１に係る入力装置によれば、初期設定パターンに記憶される出力用データの入力又は編集に係る複数種類の設定項目（例えば、文字種類、文字サイズ、太字や斜体等の文字修飾、書体など）のそれぞれに対応する複数の設定条件から設定条件選択手段を介して任意の設定条件を少なくとも１個ずつ選択して、該各設定項目に対応する新設定パターンとして登録することができる。そして、この新設定パターンが登録されている場合には、初期設定パターンに替えて該新設定パターンに記憶される各設定項目に対応する複数の設定条件が選択可能な設定条件とされるため、初期設定パターンの各設定項目の不要な設定条件を削除して新設定パターンとして登録することによって、該各設定項目の設定条件を使用状況に合わせて変更することができる。また、該新設定パターンに記憶される各設定項目の設定条件の個数を初期設定パターンに比較して少なくすることができるため、文字種類などを選択するためのキー入力回数を確実に減少させることが可能となり、各設定項目の設定を迅速且つ簡易に行うことができ、操作性の向上を図ることができる。
【０００８】
また、請求項２に係る入力装置は、請求項１に記載の入力装置において、前記登録手段により登録された複数種類の新設定パターンから一の新設定パターンを選択するパターン選択手段を備え、前記表示制御手段は、前記新設定パターンが登録されている場合には、前記パターン選択手段を介して選択された新設定パターンに記憶される各設定項目に対応する複数の設定条件を前記表示手段に表示することを特徴とする。
【０００９】
このような特徴を有する請求項２に係る入力装置によれば、パターン選択手段を介して複数種類の新設定パターンから一の新設定パターンを選択することができるため、各ユーザの使用状況に合わせた複数の新設定パターンを予め登録することにより、使用状況に応じて使い分けが可能となる。
【００１０】
また、請求項３に係る入力装置は、請求項１又は請求項２に記載の入力装置において、前記登録手段に登録されている任意の新設定パターンを削除するパターン消去手段を備えたことを特徴とする。
【００１１】
このような特徴を有する請求項３に係る入力装置によれば、登録されている任意の新設定パターンをパターン消去手段を介して削除することができるため、使用状況に応じて不必要な新設定パターンを削除して新たな新設定パターンを登録することができ、記憶容量の小型化を図ることができると共に、メモリの使用効率の向上を図ることができる。
【００１２】
また、請求項４に係る入力装置は、請求項１乃至請求項３のいずれかに記載の入力装置において、前記登録手段は、前記キー入力手段によるキー入力に応じて、前記設定条件選択手段によって選択された設定条件を各設定項目に対応する新設定パターンとして保持するための書き換え可能なメモリからなる設定条件保持手段と、その設定条件保持手段で保持された前記新設定パターンを格納するための書き換え可能な不揮発性メモリからなる新設定情報記憶手段と、を備えたことを特徴とする。
【００１３】
このような特徴を有する請求項４に係る入力装置によれば、設定条件選択手段によって選択された設定条件を各設定項目に対応する新設定パターンとして書き換え可能なメモリからなる設定条件保持手段に保持し、その設定条件保持手段に保持された新設定パターンを書き換え可能な不揮発性メモリからなる新設定情報記憶手段に格納することにより、該入力装置の電源を切っても新設定パターンが新設定情報記憶手段に格納されて失われないため、再起同時またはリセット時に該新設定パターンを再度読み出すことができ、使用状況に合わせた使い分けを確実に行うことができる。また、電池電源の入力装置においては、電池が切れても該新設定パターンを保持することができるため、各設定項目の設定を迅速且つ簡易に行うことができ、操作性の向上を図ることができる。
【００１４】
また、請求項５に係る入力装置は、請求項４に記載の入力装置において、前記初期設定情報記憶手段は、前記新設定情報記憶手段とは別の読み出し専用不揮発性メモリで形成され、前記新設定情報記憶手段は、書き換え可能な不揮発性メモリで形成されていることを特徴とする。
【００１５】
このような特徴を有する請求項５に係る入力装置によれば、初期設定情報記憶手段は、新設定情報記憶手段とは別の読み出し専用不揮発性メモリで形成されているため、新設定パターンを初期設定情報記憶手段に誤って格納することを確実に防止することができると共に、電源を切っても初期設定パターンを確実に保持することができる。また、新設定情報記憶手段は、書き換え可能な不揮発性メモリで形成されているため、格納されている新設定パターンを消去して、新たな新設定パターンを格納することができ、メモリの使用効率の向上を図ることができ、該書き換え可能な不揮発性メモリの記憶容量の小型化を図ることができる。
【００１６】
また、請求項６に係る入力装置は、請求項４に記載の入力装置において、前記初期設定情報記憶手段は、前記新設定情報記憶手段とは別の書き換え可能な不揮発性メモリで形成されていることを特徴とする。
【００１７】
このような特徴を有する請求項６に係る入力装置によれば、初期設定情報記憶手段は、新設定情報記憶手段とは別の書き換え可能な不揮発性メモリで形成されているため、初期設定パターンの設定条件も書き換え可能になると共に、電源を切っても初期設定パターンを確実に保持することができる。
【００１８】
また、請求項７に係る入力装置は、請求項４に記載の入力装置において、前記初期設定情報記憶手段及び前記新設定情報記憶手段は、同一不揮発性メモリ上に設けられていることを特徴とする。
【００１９】
このような特徴を有する請求項７に係る入力装置によれば、初期設定情報記憶手段及び前記新設定情報記憶手段は、同一不揮発性メモリ上に設けられているため、電源を切っても初期設定パターン及び新設定パターンを確実に保持することができる。
【００２０】
更に、請求項８に係るテープ印字装置は、装置本体に収納されるテープカセットと、入力装置と、前記入力装置によって入力又は編集された文字を前記テープカセットに収納される長尺状のテープに印字する印字手段と、を備えたテープ印字装置において、前記入力装置は、請求項１乃至請求項７のいずれかに記載された入力装置であることを特徴とする。
【００２１】
このような特徴を有する請求項８に係るテープ印字装置によれば、長尺状のテープに印字する文字を入力または編集を行う入力装置は、請求項１乃至請求項７のいずれかに記載された入力装置であるため、出力用データの入力又は編集に係る複数種類の設定項目のそれぞれに対応する複数の設定条件から不要な設定条件を削除して、該各設定項目の設定条件を使用状況に合わせた新設定パターンとして記憶することができ、各設定項目の設定を迅速且つ簡易に行うことができ、引いてはテープ印字装置の操作性の向上を図ることができる。また、この変更後の新設定パターンが書き換え可能な不揮発性メモリに格納される場合には、電源を切っても失われないため、再起同時またはリセット時に該変更後の新設定パターンを再度読み出すことができ、使用状況に合わせた使い分けを確実に行うことができる。また、電池電源のテープ印字装置においては、電池が切れても該新設定パターンを保持することができ、テープ印字装置の持ち運びが可能となると共に、操作性の更なる向上を図ることができる。
【００２２】
【発明の実施の形態】
以下、本発明に係る入力装置及びテープ印字装置を該入力装置が設けられたテープ印字装置について具体化した一実施形態に基づき図面を参照しつつ詳細に説明する。先ず、本実施形態に係るテープ印字装置の概略構成について図１乃至図７に基づき説明する。
図１乃至図３に示すように、テープ印字装置１は、合成樹脂製の本体２と、この本体２の背面部全体を覆うように着脱可能に取り付けられる合成樹脂製の背面カバー３とから構成されている。また、本体２の長手方向のほぼ上半分側の部分は、水平視やや丸く形成され、この上側表面の略中央部には左右方向に横長の窓部５が穿設され、この窓部５の下側には液晶表示装置（ＬＣＤ）６が配設されている。また、本体２の液晶表示装置６の左側側面部には、カットレバー７が設けられ、このカットレバー７を親指などで内側に押すことにより印字されて上端部に形成されるテープ排出口から排出された感熱テープ９（図４参照）を後述のカッター１０（図４参照）にて切断することができる。
【００２３】
また、本体２の長手方向のほぼ下半分側の部分の左右幅寸法は、その上側部分の左右幅寸法よりも少し狭く形成されると共に、左右側面の角部も丸く形成され、把持部１１を構成している。また、背面カバー３の把持部１１に対応する部分の左右側面の角部も丸く形成されている。また、本体２に取り付けられる背面カバー３は、テープカセット２６に対向する部分から把持部１１にかけてテープ印字装置１の厚さ寸法がなだらかに小さくなるように形成され、把持部１１の厚さ寸法は、テープカセット２６が収納されている部分の厚さ寸法よりも小さくなるように形成され、操作者の手に持ちやすいように把持部１１が構成されている。
【００２４】
また、把持部１１の表面には、軟質ゴム製等で形成され、文書データからなるテキストを作成するためのアクセント入力キー１２１及び各文字入力キー１２２〜１３０、「＠」マークや「＆」記号等を入力する記号キー１３１、アルファベットの大文字、小文字及び数字の文字種類を押下する毎に切り替える文字種切替キー１３２、太字、斜字、文字飾り等を選択するファンクションキー１３、入力した文字を押下する毎に１文字削除するバックスペースキー１４、テキストの印字を指令する印字キー１５、文字等のキャラクタを表示する液晶表示装置６上でカーソルを左右に移動させるカーソルキー１６、電源をオン・オフする電源ボタン１７、文字選択等を指令するリターンキー１８が配置されている。
【００２５】
また、アクセント入力キー１２１は、文字の種類がアルファベットの大文字又は小文字の入力時に押下された場合には、所定のアルファベットの上側に付されるウムラウト記号、アクサンテギュ記号、アクサングラーブ記号、アクサンシルコンフレックス記号、チルダー記号の各アクセント記号を押下する毎に切り替えて入力できるように構成されている。一方、このアクセント入力キー１２１は、文字の種類が数字の入力時に押下された場合には、「１」を入力できる。
【００２６】
また、各文字入力キー１２２〜１３０は、文字の種類がアルファベットの大文字又は小文字の入力時に押下された場合には、上面部に印刷されているアルファベット又はスペースを押下する毎に順次切り替えて入力できるように構成されている。一方、各文字入力キー１２２〜１３０は、文字の種類が数字の入力時に押下された場合には、上面部に印刷されている数字を押下することによって入力できるように構成されている。
例えば、文字入力キー１２２の上面部に「ａ、ｂ、ｃ、２」の文字が印刷されている場合には、文字の種類がアルファベットの大文字の場合には、この文字入力キー１２２を押下する毎に液晶表示装置６上のカーソル位置に「Ａ」、「Ｂ」、「Ｃ」の文字が順次表示され、リターンキー１８又は他のキー１２３〜１３２を押下することによって入力文字が確定される。また、文字の種類がアルファベットの小文字の場合には、この文字入力キー１２２を押下する毎に液晶表示装置６上のカーソル位置に「ａ」、「ｂ」、「ｃ」の文字が順次表示され、リターンキー１８又は他のキー１２３〜１３２を押下することによって入力文字が確定される。また、文字の種類が数字の場合には、この文字入力キー１２２を押下すると液晶表示装置６上のカーソル位置に「２」の文字が表示され、リターンキー１８又は他のキー１２１〜１３２を押下することによって入力文字が確定される。
【００２７】
また、図３及び図４に示すように、本体２の把持部１１の裏面部には、アクセント入力キー１２１、各文字入力キー１２２〜１３０、記号入力キー１３１、文字種切替キー１３２、ファンクションキー１３、バックスペースキー１４、印字キー１５、カーソルキー１６、電源ボタン１７、リターンキー１８が上面部に配置される基板２０が設けられている。また、本体２の把持部１１と液晶表示装置６との間の裏面部には、後述の制御回路部５０（図５参照）が構成される制御基板２１が配設されている。そして、この制御基板２１のサーマルヘッド３３に対して反対側で本体２の長手方向上側には、不図示のギヤー列を介してプラテンローラ２３を回転駆動するテープ送りモータ２５が本体２の裏面部に配設されている。
また、本体２の各基板２０、２１、液晶表示装置６、及びテープ送りモータ２５等の背面側の開口部には、テープカセット２６が収納されるカセット収納部２７や複数個（本実施形態では４本）の乾電池２８が２本ずつ直列に収納される電池収納部２９が背面部に形成される合成樹脂製の仕切り部材３０が各ネジ３１によってネジ止めされている。
【００２８】
また、カセット収納部２７のカットレバー７側の端縁部近傍の底面部には、サーマルヘッド３３が取り付けられる薄板状のサーマルヘッド取付部３４が、本体２の長手方向に沿うように直角外側方向に立設されている。また、サーマルヘッド３３に対向するカセット収納部２７の側面部は切り欠かれると共に、この切欠部に対向する仕切り部材３０の裏面部にプラテンホルダ３５が下端部を中心に回動可能に設けられている。また、背面カバー３を取り外した状態では、プラテンホルダ３５は図示しない弾性部材等で外側方向に付勢され、この仕切り部材３０に穿設される略四角形の係合孔３６の外側端縁部から裏側方向に立設される位置固定部３７に当接する位置で固定されている。
【００２９】
そして、背面カバー３の内側面には、不図示の突起部が立設されており、この背面カバー３を本体２の背面部に取り付けた場合には、この突起部が係合孔３６に挿入され、プラテンホルダ３５と位置固定部３７との間に介在する状態になる。これにより、プラテンローラ２３によりテープカセット２６の感熱テープ９の一部がサーマルヘッド３３に押し付けられる位置まで、プラテンホルダ３５はサーマルヘッド３３側に回動させられて固定される。また、プラテンローラ２３の裏側方向の一端部には不図示のギヤ部が形成され、プラテンホルダ３５が動作位置に固定された場合には、テープ送りモータ２５によって回転駆動される不図示のギヤ列にプラテンローラ２３のギヤ部が歯合してプラテンローラ２３が回転駆動され、サーマルヘッド３３を介して印字された感熱テープ９が搬送される。
尚、テープカセット２６に収納される感熱テープ９は、サーマルヘッド３３の発熱作用により発色するように構成されている。また、感熱テープ９は、裏面に予め粘着剤が塗布され、この粘着剤層に離型テープを仮接着したものであってもよい。
【００３０】
また、外側方向に回動するように不図示のバネで付勢されるカットレバー７の不図示の回動支持部には、カッター１０がスライド可能に支持され、このカットレバー７を水平内側方向へ押下することにより、カッター１０はテープカセット２６に向かって移動し、感熱テープ９を切断するように構成されている。
【００３１】
次に、図５に示すように、テープ印字装置１の制御構成は、制御基板２１上に形成される制御回路部５０を核として構成されている。制御回路部５０には、各機器を制御するＣＰＵ５１と、このＣＰＵ５１にデータバス５２を介して接続された入出力インタフェース５３、ＣＧＲＯＭ５４、一括電気的消去及び書き込み可能な読み出し専用メモリ（以下、「フラッシュＥＥＰＲＯＭ」という。）５５、マスクプログラム読み出し専用メモリ（以下、「ＭＲＯＭ」という。）５６、ＲＡＭ５７とから構成されている。なお、ＣＰＵ５１の内部にはタイマ５１Ａが設けられている。
【００３２】
ここに、ＣＧＲＯＭ５４には、多数のキャラクタの各々に関して、表示のためのドットパターンデータがコードデータに対応させて格納されている。
また、フラッシュＥＥＰＲＯＭ５５には、後述のように使用者が設定する各切替キー１３１、１３２による変更可能な機能の種類や文字サイズの変更可能な種類、及び入力文字の編集時に行う文字の太字、斜体などの文字装飾の設定可能な種類を記憶した第１新設定パターンが格納される第１新設定情報記憶領域５５Ａ、同様な第２新設定パターンが格納される第２新設定情報記憶領域５５Ｂ、同様な第３新設定パターンが格納される第３新設定情報記憶領域５５Ｃが設けられている。従って、本実施形態では使用者は３種類の第１乃至第３新設定パターンをフラッシュＥＥＰＲＯＭ５５に登録することができる。また、フラッシュＥＥＰＲＯＭ５５には、後述のように使用者が最後に選択した設定パターンを記憶する選択パターン記憶領域５５Ｄが設けられている。
【００３３】
また、ＭＲＯＭ５６には、文字種切替キー１３２が起動後最初に押下された場合に、文字種類を切り替える初期切り替え順番（本実施形態では、「アルファベット小文字」→「アルファベット大文字」→「数字」の順番になっている。）を記憶する初期切替順記憶領域５６Ａが設けられている。また、ＭＲＯＭ５６には、アクセント入力キー１２１が押下された場合に、アクセント記号の種類を切り替える切り替え順番（本実施形態では、ウムラウト記号→アクサンテギュ記号→アクサングラーブ記号→アクサンシルコンフレックス記号→チルダー記号の順番になっている。）を記憶するアクセント切替順記憶領域５６Ｂが設けられている。また、ＭＲＯＭ５６には、各切替キー１３１、１３２によって変更可能な機能の全種類やファンクションキー１３によって変更可能な文字サイズの全種類、及び入力文字の編集時に行う文字の太字、斜体などの文字装飾の設定可能な全種類を記憶する設定条件テーブル６５が格納される設定情報記憶領域５６Ｃが設けられている。また、ＭＲＯＭ５６には、起動時に選択される各切替キー１３１、１３２によって変更可能な機能の種類や文字サイズの変更可能な種類、及び入力文字の編集時に行う文字の太字、斜体などの文字装飾の設定可能な種類の初期設定パターンを記憶する初期設定パターンテーブル６６が格納される初期設定情報記憶領域５６Ｄが設けられている。
【００３４】
また、ＭＲＯＭ５６には、アルファベット文字や記号等のキャラクタを印字するための多数のキャラクタの各々に関して、印字用ドットパターンデータが、書体（ゴシック系書体、アリエール書体等）毎に分類され、各書体毎に５種類（１６、２４、３２、４８、６４のドットサイズ）の印字文字サイズ分、コードデータに対応させて格納されている。また、文字の修飾（太字、白抜き、斜体、影付き）を含む修飾文字を印字するためのグラフィックパターンデータも記憶されている。また、ＭＲＯＭ５６には、各文字入力キー１２２〜１３０等から入力された文字や数字等のキャラクタのコードデータに対応させて液晶表示装置（ＬＣＤ）６を制御する表示駆動制御プログラム、印字バッファ５７Ｂのデータを読み出してサーマルヘッド３３やテープ送りモータ２５を駆動する印字駆動制御プログラム、各印字ドットの形成エネルギ量に対応するパルス数を決定するパルス数決定プログラム、及び後述の設定情報書き込み処理（図９参照）や第１乃至第３新設定パターンを登録する設定メモリ処理（図１０参照）等の制御プログラム（図８〜図１２参照）、印字終了した場合に該感熱テープ９を切断位置までテープ送りモータ２５を駆動して搬送する駆動制御プログラム、その他テープ印字装置１の制御上必要な各種のプログラムが格納されている。そして、ＣＰＵ５１は、かかるＭＲＯＭ５６に記憶されている各種プログラムやデータに基づいて各種の演算を行うものである。
【００３５】
更に、ＲＡＭ５７には、テキストメモリ５７Ａ、印字バッファ５７Ｂ、カウンタ５７Ｃ、入力モード記憶領域５７Ｄ、入力設定情報記憶領域５７Ｅ等が設けられており、テキストメモリ５７Ａには、アクセント入力キー１２１、各文字入力キー１２２〜１３０及び記号入力キー１３１から入力された文書データが格納される。また、印字バッファ５７Ｂには、複数の文字や記号等の印字用ドットパターンや各ドットの形成エネルギ量である印加パルス数等がデータとして格納され、サーマルヘッド３３はかかる印字バッファ５７Ｂに記憶されているドットパターンデータに従ってドット印字を行う。また、カウンタ５７Ｃには、アクセント入力キー１２１や文字種切替キー１３２等が押下された回数のカウント値が格納される。また、入力モード記憶領域５７Ｄには、現在入力している文字の指定された文字種類等が記憶される。また、入力設定情報記憶領域５７Ｅには、現在入力している各切替キー１３１、１３２による変更可能な機能の種類やファンクションキー１３によって変更可能な文字サイズの種類、及び入力文字の編集時に行う文字の太字、斜体などの文字装飾の設定可能な種類が記憶される。
尚、この入力設定情報記憶領域５７Ｅは、乾電池２８によりバックアップされ、電源ボタン１７を押下して電源をＯＦＦにしても記憶内容が保持され、再起動時に初期化されないように構成されている。一方、他の各記憶領域５７Ａ〜５７Ｄは、後述のように起動時に初期化されるように構成されている。
【００３６】
また、入出力インタフェース５３には、基板２０と、液晶表示装置（ＬＣＤ）６に表示データを出力するためのビデオＲＡＭ５８Ａを有するディスプレイコントローラ（以下、ＬＣＤＣという）５８と、サーマルヘッド３３を駆動するための駆動回路５９と、テープ送りモータ２５を駆動するための駆動回路６０と、が各々接続されている。
よって、基板２０のアクセント入力キー１２１、各文字入力キー１２２〜１３０、記号入力キー１３１を介して文字等が入力された場合、そのテキスト（文書データ）がテキストメモリ５７Ａに順次記憶されていくとともに、ドットパターン発生制御プログラム及び表示駆動制御プログラムに基づいて基板２０を介して入力された文字等に対応するドットパターンがＬＣＤ６上に表示される。また、サーマルヘッド３３は駆動回路５９を介して駆動され、印字バッファ５７Ｂに記憶されたドットパターンデータの印字を行い、これと同期してテープ送りモータ２５が駆動回路６０を介してテープの送り制御を行うものである。
【００３７】
次に、ＭＲＯＭ５６の設定情報記憶領域５６Ｃに記憶される設定条件テーブル６５の一例について図６に基づいて説明する。
図６に示すように、設定条件テーブル６５は、設定変更可能な各種設定項目を表す「設定項目」と、この「設定項目」に対応する設定可能な全種類の設定条件を表す「設定条件」とから構成されている。
また、「設定項目」には、各切替キー１３１、１３２等によって変更可能な機能を表す「シフト」と、ファンクションキー１３によって変更可能な文字サイズの種類を表す「文字サイズ」と、ファンクションキー１３によって入力文字の編集時に行う文字の太字、斜体などの文字装飾の設定可能な種類を表す「修飾」とが予め登録されている。
また、この「シフト」に対応する「設定条件」には、文字種切替キー１３２を押下することによってアルファベット大文字が設定できることを表す「大文字」、文字種切替キー１３２を押下することによってアルファベット小文字が設定できることを表す「小文字」、文字種切替キー１３２を押下することによって数字が設定できることを表す「数字」、記号入力キー１３１を押下することによって各記号が設定できることを表す「記号」、設定条件がこれ以上設定されていないことを表す「ＯＦＦ」とが予め登録されている。
【００３８】
また、この「文字サイズ」に対応する「設定条件」には、１６ドットサイズの印字文字サイズを表す「１」、２４ドットサイズの印字文字サイズを表す「２」、３２ドットサイズの印字文字サイズを表す「３」、４８ドットサイズの印字文字サイズを表す「４」、６４ドットサイズの印字文字サイズを表す「５」、設定条件がこれ以上設定されていないことを表す「ＯＦＦ」とが予め登録されている。
また、この「修飾」に対応する「設定条件」には、印字文字に文字修飾を行わない通常文字であることを表す「無し」、印字文字の文字修飾が太字印字であることを表す「太字」、印字文字の文字修飾が白抜き印字であることを表す「白抜き」、印字文字の文字修飾が影付き印字であることを表す「影」、印字文字の文字修飾が斜体文字の印字であることを表す「斜体」、設定条件がこれ以上設定されていないことを表す「ＯＦＦ」とが予め登録されている。
【００３９】
次に、ＭＲＯＭ５６の初期設定情報記憶領域５６Ｄに記憶される初期設定パターンテーブル６６の一例について図７に基づいて説明する。
図７に示すように、初期設定パターンテーブル６６は、設定変更可能な各種設定項目を表す「設定項目」と、この「設定項目」に対応して各切替キー１３１、１３２等を押下することによって切り替えて選択できる機能の選択順番を表す「順序１」〜「順序５」とから構成されている。従って、各「設定項目」に対して、文字種切替キー１３２等を押下した場合には、「順序１」に対応する機能が１番目に選択され、「順序２」に対応する機能が２番目に選択され、「順序３」に対応する機能が３番目に選択され、「順序４」に対応する機能が４番目に選択され、「順序５」に対応する機能が５番目に選択されることを表している。
また、「設定項目」には、各切替キー１３１、１３２によって変更可能な機能を表す「シフト」と、ファンクションキー１３によって変更可能な文字サイズの種類を表す「文字サイズ」と、ファンクションキー１３によって入力文字の編集時に行う文字の太字、斜体などの文字装飾の設定可能な種類を表す「修飾」とが予め登録されている。
また、この「シフト」に対応する「順序１」には、文字種切替キー１３２を押下することによって１番目にアルファベット小文字が設定できることを表す「小文字」が登録されている。また、この「シフト」に対応する「順序２」には、文字種切替キー１３２を押下することによって２番目にアルファベット大文字が設定できることを表す「大文字」が登録されている。また、この「シフト」に対応する「「順序３」には、文字種切替キー１３２を押下することによって３番目に数字が設定できることを表す「数字」が登録されている。また、この「シフト」に対応する「順序４」には、記号入力キー１３１を押下することによって各記号が設定できることを表す「記号」が登録されている。また、この「シフト」に対応する「順序５」には、設定条件がこれ以上設定されていないことを表す「ＯＦＦ」が予め登録されている。
【００４０】
また、この「文字サイズ」に対応する「順序１」には、印字文字サイズの設定時にファンクションキー１３を押下することによって１番目に１６ドットサイズの印字文字サイズが設定できることを表す「１」が登録されている。また、同様に、この「文字サイズ」に対応する各「順序２」〜「順序５」には、印字文字サイズの設定時にファンクションキー１３を連続して押下することによって２番目乃至５番目に各２４、３２、４８、６４ドットの各ドットサイズの印字文字サイズが設定できることを表す「２」〜「５」が登録されている。
また、この「修飾」に対応する「順序１」には、印字文字の文字修飾の設定時に、ファンクションキー１３を押下することによって１番目に文字修飾を行わない通常文字を設定できることを表す「無し」が登録されている。また、同様に、この「修飾」に対応する各「順序２」〜「順序５」には、印字文字の文字修飾の設定時に、ファンクションキー１３を連続して押下することによって２番目乃至５番目に、それぞれ太字、白抜き文字、影付き文字、斜体文字の文字修飾を設定できることを表す「太字」〜「斜体」が登録されている。
【００４１】
次に、このように構成されたテープ印字装置１の文字入力の制御処理について図８乃至図１２に基づいて説明する。
図８に示すように、ステップ（以下、Ｓと略記する）１において、テープ印字装置１のＣＰＵ５１は、ＬＣＤＣ５８や各駆動回路５９、６０などのイニシャライズを行った後、Ｓ２において、テキストメモリ５７Ａ、印字バッファ５７Ｂ、カウンタ５７Ｃ、入力モード記憶領域５７ＤなどＲＡＭ５７の非バックアップ領域の初期化を行う。
そして、Ｓ３において、ＣＰＵ５１は、システムリセットを行うかどうか、即ち、各第１乃至第３新設定情報記憶領域５５Ａ、５５Ｂ、５５Ｃに記憶されている第１乃至第３新設定パターンのうちいずれかを選択し、入力設定情報記憶記憶領域５７Ｅに新たな入力設定情報として記憶し、システム設定条件の変更を行うか否かを判定する判定処理を実行する。尚、このシステムリセットを行うか否かの判定は、ファンクションキー１３、記号入力キー１３１、及び文字種切替キー１３２が同時に押下されたか否かを判定することによって行う。これにより、特定の管理者に限りシステムリセットを行うことが可能となる。
続いて、システムリセットを行わない場合、即ち、ファンクションキー１３、記号入力キー１３１、及び文字種切替キー１３２が同時に押下されていない場合には（Ｓ３：ＮＯ）、Ｓ４において、ＣＰＵ５１は、バックアップ状態か否か、即ち、電池切れで乾電池２８が交換されたか否かを判定する判定処理を実行する。
【００４２】
そして、バックアップ状態でなかった場合、即ち、乾電池２８の交換が行われた場合は（Ｓ４：ＮＯ）、Ｓ５において、ＣＰＵ５１は、入力設定情報記憶記憶領域５７Ｅの乾電池２８によるバックアップがされていなかったと判断し、Ｓ５において、該入力設定情報記憶記憶領域５７Ｅなどの乾電池２８によってバックアップされていたＲＡＭ５７のバックアップ領域の初期化を実行する。
続いて、Ｓ６において、ＣＰＵ５１は、システム設定条件の設定を行う設定情報書き込み処理のサブ処理を実行する。その後、Ｓ７において、ＣＰＵ５１は、基本画面を液晶表示装置６に表示する。
【００４３】
また、Ｓ３において、ファンクションキー１３、記号入力キー１３１、及び文字種切替キー１３２が同時に押下されたと判定した場合には（Ｓ３：ＹＥＳ）、ＣＰＵ５１は、Ｓ５以降の処理を実行する。
一方、Ｓ４において、バックアップ状態の場合、即ち、乾電池２８の交換が行われていない場合は（Ｓ４：ＹＥＳ）、ＣＰＵ５１は、Ｓ７以降の処理を実行する。
【００４４】
続いて、Ｓ８において、ＣＰＵ５１は、装置本体表面部に配置された各キー１２１〜１３２、１３〜１８のいずれかが押下されるまで待機する（Ｓ８：ＮＯ）。
そして、いずれかのキーが押下された場合には（Ｓ８：ＹＥＳ）、Ｓ９において、ＣＰＵ５１は、文章入力か否か、即ち、押下されたキーが各文字入力キー１２２〜１３０のいずれかであるか否かを判定する判定処理を実行する。そして、この押下されたキーが各文字入力キー１２２〜１３０のいずれかである場合には（Ｓ９：ＹＥＳ）、Ｓ１０において、ＣＰＵ５１は、各文字入力キー１２２〜１３０によって入力された文字を液晶表示装置６に表示し、再度、Ｓ８以降の処理を実行する。
尚、テープ印字装置１の起動時には、キー入力によって入力できる文字種類は、入力設定情報記憶領域５７Ｅに記憶される初期設定パターンテーブル６６または後述の各第１乃至第３新設定パターン７０、７１、７２（図１３〜図１５参照）のうちのいずれかの「設定項目」の「シフト」に対応する「順序１」に記憶される文字種類に設定されている。
【００４５】
また、Ｓ９で押下されたキーが各文字入力キー１２２〜１３０のいずれでもない場合には（Ｓ９：ＮＯ）、Ｓ１１において、ＣＰＵ５１は、文字種類を設定する文字種切替キー１３２が押下されたか否かを判定する判定処理を実行する。そして、押下されたキーが文字種切替キー１３２である場合には（Ｓ１１：ＹＥＳ）、Ｓ１２において、ＣＰＵ５１は、文字種類切り替えの設定等を実行するシフト処理のサブ処理を実行後、再度、Ｓ８以降の処理を実行する。
【００４６】
そしてまた、Ｓ１１で押下されたキーが文字種切替キー１３２でない場合には（Ｓ１１：ＮＯ）、Ｓ１３において、ＣＰＵ５１は、ファンクションキー１３の押下によって文字サイズを設定する文字サイズモードが選択されたか否かを判定する判定処理を実行する。そして、ファンクションキー１３の押下によって文字サイズモードが選択された場合には（Ｓ１３：ＹＥＳ）、Ｓ１４において、ＣＰＵ５１は、文字サイズの切り替えを実行するサイズ設定処理のサブ処理を実行後、再度、Ｓ８以降の処理を実行する。
【００４７】
一方、Ｓ１３でファンクションキー１３の押下によって文字サイズモードが選択されていない場合には（Ｓ１３：ＮＯ）、Ｓ１５において、ＣＰＵ５１は、ファンクションキー１３の押下によって印字文字の文字修飾を設定する文字修飾モードが選択されたか否かを判定する判定処理を実行する。そして、ファンクションキー１３の押下によって文字修飾モードが選択された場合には（Ｓ１５：ＹＥＳ）、Ｓ１６において、ＣＰＵ５１は、入力印字文字の文字修飾の変更を実行する修飾設定処理のサブ処理を実行後、再度、Ｓ８以降の処理を実行する。
【００４８】
また、Ｓ１５でファンクションキー１３の押下によって文字修飾モードが選択されていない場合には（Ｓ１５：ＮＯ）、Ｓ１７において、ＣＰＵ５１は、設定メモリ処理を実行するか否か、即ち、各第１乃至第３新設定情報記憶領域５５Ａ、５５Ｂ、５５Ｃに記憶されている各第１乃至第３新設定パターン７０、７１、７２の登録又は消去を実行するか否かを判定する判定処理を実行する。尚、この設定メモリ処理を実行するか否かの判定は、ファンクションキー１３が１秒以上連続して押下されたか否かを判定することによって行う。これにより、特定の管理者に限り各第１乃至第３新設定情報記憶領域５５Ａ、５５Ｂ、５５Ｃに記憶されている各第１乃至第３新設定パターン７０、７１、７２の登録又は消去を実行することが可能となる。
そして、ファンクションキー１３が１秒以上連続して押下された場合には（Ｓ１７：ＹＥＳ）、Ｓ１８において、ＣＰＵ５１は、各第１乃至第３新設定パターン７０、７１、７２の登録又は消去を実行する設定メモリ処理のサブ処理を実行後、再度、Ｓ８以降の処理を実行する。
【００４９】
他方、Ｓ１７でファンクションキー１３が１秒以上連続して押下されていない場合には（Ｓ１７：ＮＯ）、Ｓ１９において、ＣＰＵ５１は、押下されたキーに対応する各種処理を実行後、再度、Ｓ８以降の処理を実行する。
【００５０】
次に、Ｓ６において実行する設定情報書き込み処理のサブ処理について図９に基づいて説明する。
図９に示すように、Ｓ２１において、ＣＰＵ５１は、各第１乃至第３新設定情報記憶領域５５Ａ〜５５Ｃに第１乃至第３新設定パターンテーブル７０、７１、７２が登録されているか否かを判定する判定処理を実行する。そして、第１乃至第３新設定パターンテーブル７０、７１、７２が登録されている場合には（Ｓ２１：ＹＥＳ）、Ｓ２２において、ＣＰＵ５１は、この登録されている各新設定パターンテーブル７０、７１、７２に対応する番号を液晶表示装置６の表示画面に表示する。
例えば、第１新設定パターンテーブル７０だけが登録されている場合には、液晶表示装置６の表示画面に、「パターン：１」と表示される。また、第１及び第２新設定パターンテーブル７０、７１だけが登録されている場合には、液晶表示装置６の表示画面に、「パターン：１、２」と表示される。また、第１乃至第３新設定パターンテーブル７０、７１、７２が登録されている場合には、液晶表示装置６の表示画面に、「パターン：１、２、３」と表示される。
【００５１】
続いて、Ｓ２３において、ＣＰＵ５１は、該表示画面の「パターン：１」、「パターン：１、２」、又は「パターン：１、２、３」の各番号に対応する数字が表面に印刷されたアクセント入力キー１２１、又は各文字入力キー１２２、１２３のいずれかが押下されるのを待ち、いずれかのキーが押下されると該押下されたキーに印刷された数字を選択パターン記憶領域５５Ｄに記憶すると共に、この数字に対応する各新設定パターンテーブルを選択する。例えば、アクセント入力キー１２１が押下された場合には、ＣＰＵ５１は、数字「１」を選択パターン記憶領域５５Ｄに記憶すると共に、この数字「１」に対応する第１新設定パターンテーブル７０が選択される。また、文字入力キー１２２が押下された場合には、ＣＰＵ５１は、数字「２」を選択パターン記憶領域５５Ｄに記憶すると共に、この数字「２」に対応する第２新設定パターンテーブル７１が選択される。また、文字入力キー１２３が押下された場合には、ＣＰＵ５１は、数字「３」を選択パターン記憶領域５５Ｄに記憶すると共に、この数字「３」に対応する第３新設定パターンテーブル７２が選択される。
【００５２】
そして、Ｓ２４において、ＣＰＵ５１は、この選択した新設定パターンテーブルの各設定項目と該設定項目に対応する各順序１〜５の設定条件のデータを読み出し、システムの入力設定情報として入力設定情報記憶領域５７Ｅに記憶後、メインフローチャートに戻る。
他方、第１乃至第３新設定パターンテーブル７０、７１、７２が登録されていない場合には（Ｓ２１：ＮＯ）、Ｓ２５において、ＣＰＵ５１は、数字「０」を選択パターン記憶領域５５Ｄに記憶すると共に、この数字「０」に対応する初期設定情報記憶領域５６Ｄに記憶される初期設定パターンテーブル６６の各設定項目と該設定項目に対応する各順序１〜５の設定条件のデータを読み出し、システムの入力設定情報として入力設定情報記憶領域５７Ｅに記憶後、メインフローチャートに戻る。尚、フラッシュＥＥＰＲＯＭ５５の初期化時又は工場出荷時には、この選択パターン記憶領域５５Ｄに「０」が記憶されている。
【００５３】
次に、Ｓ１８において実行する設定メモリ処理のサブ処理について図１０乃至図１３に基づいて説明する。
図１０に示すように、Ｓ３１において、ＣＰＵ５１は、新設定パターンテーブルを新たに登録するのか、既に登録している新設定パターンテーブルを消去するのか否かを判定する判定処理を実行する。
例えば、ＣＰＵ５１は、液晶表示装置６の表示画面に、「登録？」と表示し、「ｎ」の文字が印刷される文字入力キー１２６又は「ｙ」の文字が印刷される文字入力キー１２９のいずれかが押下されるのを待ち、「ｎ」の文字が印刷される文字入力キー１２６が押下された場合には、新設定パターンテーブルの「消去」であると判定し、「ｙ」の文字が印刷される文字入力キー１２９が押下された場合には、新設定パターンテーブルの「登録」であると判定する。
そして、新設定パターンテーブルを新たに登録すると判定した場合には（Ｓ３１：登録）、Ｓ３２において、ＣＰＵ５１は、初期設定パターンテーブル６６と同一フォーマットで各設定項目及び設定条件を記憶できるように、新設定パターンテーブルが登録されていない各第１乃至第３新設定情報記憶領域５５Ａ〜５５Ｃをフォーマットする。即ち、初期設定パターンテーブル６６と同一の「設定項目」として「シフト」、「文字サイズ」、「修飾」を記憶し、各設定項目に対応して「順序１」、「順序２」、「順序３」、「順序４」、「順序５」の設定条件を記憶することができるように新設定パターンテーブルが登録されていない各第１乃至第３新設定情報記憶領域５５Ａ〜５５Ｃをフォーマットする。尚、このフォーマット時には、各設定項目に対応する「順序１」〜「順序５」の設定条件には「ＯＦＦ」が記憶される。
【００５４】
続いて、Ｓ３３において、ＣＰＵ５１は、最初の設定項目として設定条件テーブル６５の「設定項目」の「シフト」を液晶表示装置６の表示画面に表示する。そして、Ｓ３４において、ＣＰＵ５１は、次の設定項目を新設定パターンテーブルの設定項目として選択するのか否かを判定する判定処理を実行する。
例えば、ＣＰＵ５１は、カーソルキー１６又はリターンキー１８のいずれかが押下されるの待ち、カーソルキー１６が押下された場合には、次の「設定項目」を新設定パターンテーブルの設定項目として選択すると判定し（Ｓ３４：ＹＥＳ）、リターンキー１８が押下された場合は、この「設定項目」を新設定パターンテーブルの設定項目として選択する（Ｓ３４：ＮＯ）、と判定する。
続いて、次の「設定項目」を新設定パターンテーブルの設定項目として選択すると判定した場合には（Ｓ３４：ＹＥＳ）、再度、Ｓ３３において、ＣＰＵ５１は、設定条件テーブル６５の「設定項目」の次の設定項目を読み出し、表示画面に表示する。また、この選択されなかった「設定項目」に対応する「順序１」〜「順序５」の設定条件として「ＯＦＦ」をＲＡＭ５７に一時記憶する。
【００５５】
一方、設定項目が新設定パターンテーブルの設定項目として選択された場合には（Ｓ３４：ＮＯ）、Ｓ３５において、ＣＰＵ５１は、この設定項目の設定条件を設定するのか、又は、当該新設定パターンテーブルの設定を終了するのかを判定する判定処理を実行する。
例えば、ＣＰＵ５１は、液晶表示装置６の表示画面に、「設定終了？」と表示し、「ｎ」の文字が印刷される文字入力キー１２６又は「ｙ」の文字が印刷される文字入力キー１２９のいずれかが押下されるのを待ち、「ｎ」の文字が印刷される文字入力キー１２６が押下された場合には、設定条件の「設定」であると判定し（Ｓ３５：設定）、「ｙ」の文字が印刷される文字入力キー１２９が押下された場合には、新設定パターンテーブルの「設定終了」であると判定する（Ｓ３５：終了）。
そして、ＣＰＵ５１は、選択された設定項目の設定条件を設定すると判定した場合には（Ｓ３５：設定）、Ｓ３６において、新設定パターンテーブルの「順序１」を表す「１：」と、設定条件テーブル６５の選択された設定項目の第１順位の「設定条件」とを表示画面に表示する（図１２参照）。
【００５６】
続いて、Ｓ３７において、ＣＰＵ５１は、この設定条件を新設定パターンテーブルの「順序１」の設定条件として記憶するか否かの判定処理を実行する。
そして、Ｓ３７において、この設定条件が選択された場合には（例えば、リターンキー１８が押下された場合など）（Ｓ３７：ＹＥＳ）、Ｓ３８において、ＣＰＵ５１は、この設定条件を新設定パターンテーブルの選択された設定項目の「順序１」の設定条件として一時ＲＡＭ５７に記憶し、当該設定された設定条件が「ＯＦＦ」または、設定条件が未設定の次の順序の欄があるか否かの判定処理を実行する。そして、当該設定された設定条件が「ＯＦＦ」以外の設定条件で、設定条件が未設定の次の順序の欄がある場合には（Ｓ３８：ＹＥＳ）、Ｓ３９において、ＣＰＵ５１は、次の順序の設定条件を設定するための設定画面を表示し、再度Ｓ３７以降の処理を実行し、当該「設定項目」に対応する各「順序１」乃至「順序５」の設定条件を順次ＲＡＭ５７に一時記憶する（図１３参照）。
【００５７】
また、Ｓ３７で表示されている設定条件が選択されなかった場合には（例えば、カーソルキー１６が押下された場合など）（Ｓ３７：ＮＯ）、Ｓ４０において、ＣＰＵ５１は、設定条件テーブル６５のこの「設定項目」に対応する次の順位の「設定条件」を表示画面に表示し、再度Ｓ３７以降の処理を実行する（図１２参照）。
【００５８】
一方、Ｓ３８で当該設定された設定条件が「ＯＦＦ」の設定条件の場合には（Ｓ３８：ＮＯ）、ＣＰＵ５１は、以降の順序の欄の設定条件を「ＯＦＦ」としてＲＡＭ５７に一時記憶して、再度、Ｓ３３以降の処理を実行する。また、設定条件が未設定の次の順序の欄がない場合、即ち「順序５」の欄まで設定条件を設定した場合には（Ｓ３８：ＮＯ）、ＣＰＵ５１は、再度、Ｓ３３以降の処理を実行する。
【００５９】
また、ＣＰＵ５１は、Ｓ３５で、当該新設定パターンテーブルの「設定終了」であると判定した場合には（Ｓ３５：終了）、Ｓ４１において、ＲＡＭ５７に一時記憶されている当該新設定パターンテーブルの各「順序１」乃至「順序５」の設定条件が全て「ＯＦＦ」、又は、「記号」と他が全て「ＯＦＦ」の「設定項目」があるか否かを判定する判定処理を実行する。
そして、当該新設定パターンテーブルの各「順序１」乃至「順序５」の設定条件が全て「ＯＦＦ」の「設定項目」がある場合には（Ｓ４１：ＹＥＳ）、Ｓ４２において、ＣＰＵ５１は、当該「設定項目」の「順序１」に対応する「設定条件」を設定条件テーブル６５の対応する「設置項目」の第１順位の「設定条件」とすると共に、各「順序２」又は「順序３」から「順序５」までの設定条件を全て「ＯＦＦ」としてＲＡＭ５７に再度一時記憶する。また、当該新設定パターンテーブルの「設定項目」が「シフト」の各「順序１」乃至「順序５」の設定条件が「記号」と他が全て「ＯＦＦ」の場合には、この「順序２」の設定条件をテーブル６５の対応する「設置項目」の第１順位の「設定条件」とすると共に、各「順序３」から「順序５」までの設定条件を全て「ＯＦＦ」としてＲＡＭ５７に再度一時記憶する。
続いて、Ｓ４３において、ＣＰＵ５１は、当該ＲＡＭ５７に一時記憶されている当該新設定パターンテーブルを第１乃至第３新設定情報記憶領域５５Ａ〜５５Ｃのうち新設定パターンテーブルが格納されていない、即ち、全ての「設定条件」が「ＯＦＦ」の新設定パターンテーブルが格納されている記憶領域に上書きして格納し、登録する。従って、ＣＰＵ５１は、第１新設定情報記憶領域５５Ａに新設定パターンテーブル７０が格納されていない場合には、当該ＲＡＭ５７に一時記憶されている当該新設定パターンテーブルを第１新設定情報記憶領域５５Ａに格納する。また、ＣＰＵ５１は、第１新設定情報記憶領域５５Ａに新設定パターンテーブル７０が格納されており、第２新設定情報記憶領域５５Ｂに新設定パターンテーブル７１が格納されていない場合には、当該ＲＡＭ５７に一時記憶されている当該新設定パターンテーブルを第２新設定情報記憶領域５５Ｂに格納する。更に、ＣＰＵ５１は、第１及び第２新設定情報記憶領域５５Ａ、５５Ｂに各新設定パターンテーブル７０、７１が格納されており、第３新設定情報記憶領域５５Ｃに新設定パターンテーブル７２が格納されていない場合には、当該ＲＡＭ５７に一時記憶されている当該新設定パターンテーブルを第３新設定情報記憶領域５５Ｃに格納する。
そして、Ｓ４４において、第１乃至第３新設定情報記憶領域５５Ａ〜５５Ｃに記憶されている各第１乃至第３新設定パターンテーブル７０〜７２にそれぞれ登録番号「Ｎｏ．１」〜「Ｎｏ．３」を付加後、メインフローチャートに戻る。
【００６０】
他方、ＣＰＵ５１は、Ｓ３１で、新設定パターンテーブルを「消去」すると判定した場合には（Ｓ３１：消去）、Ｓ４５において、消去処理のサブ処理を実行後、メインフローチャートに戻る。
【００６１】
次に、この消去処理のサブ処理について図１１に基づいて説明する。
図１１に示すように、Ｓ５１において、ＣＰＵ５１は、各第１乃至第３新設定情報記憶領域５５Ａ〜５５Ｃのそれぞれに新設定パターンテーブルが格納されているか否かを判定する判定処理を実行する。
そして、各第１乃至第３新設定情報記憶領域５５Ａ〜５５Ｃのいずれかに新設定パターンテーブルが格納されている場合には（Ｓ５１：ＹＥＳ）、Ｓ５２において、ＣＰＵ５１は、登録されている各新設定パターンテーブルに付加された登録番号を液晶表示装置６の表示画面に表示する。
例えば、第１新設定情報記憶領域５５Ａに新設定パターンテーブルが格納されている場合には、「Ｎｏ．１」を表示する。同様に、第２新設定情報記憶領域５５Ｂに新設定パターンテーブルが格納されている場合には、「Ｎｏ．２」を表示する。同様に、第３新設定情報記憶領域５５Ｃに新設定パターンテーブルが格納されている場合には、「Ｎｏ．３」を表示する。
【００６２】
続いて、Ｓ５３において、ＣＰＵ５１は、この液晶表示装置６の表示画面に表示されている登録番号が付加された新設定パターンテーブルを選択するのか否かを判定する判定処理を実行する。
例えば、ＣＰＵ５１は、第１新設定情報記憶領域５５Ａに新設定パターンテーブルが格納されている場合には、液晶表示装置６の表示画面に、「Ｎｏ．１」と共に「選択？」と表示し、「ｎ」の文字が印刷される文字入力キー１２６又は「ｙ」の文字が印刷される文字入力キー１２９のいずれかが押下されるのを待ち、「ｎ」の文字が印刷される文字入力キー１２６が押下された場合には、「選択しない」と判定し（Ｓ５３：次）、「ｙ」の文字が印刷される文字入力キー１２９が押下された場合には、「選択する」と判定する（Ｓ５３：選択）。
そして、この液晶表示装置６の表示画面に表示されている登録番号が付加された新設定パターンテーブルを選択しないと判定した場合には（Ｓ５３：次）、ＣＰＵ５１は、再度、５２以降の処理を実行する。
例えば、「Ｎｏ．２」と「選択？」を液晶表示装置６の表示画面に表示し、当該登録番号が付加された新設定パターンテーブルを選択するのか否かを判定する判定処理（Ｓ５３）を実行する。
【００６３】
また、この液晶表示装置６の表示画面に表示されている登録番号が付加された新設定パターンテーブルが選択されたと判定した場合には（Ｓ５３：選択）、ＣＰＵ５１は、Ｓ５４において、選択された登録番号が付加されている新設定パターンテーブル以外の各新設定パターンテーブルをＲＡＭ５７に一時記憶後、フラッシュＥＥＰＲＯＭ５５を初期化する。そして、Ｓ５５において、ＣＰＵ５１は、このＲＡＭ５７に一時記憶した各新設定パターンテーブルを各第１及び第２新設定情報記憶領域５５Ａ、５５Ｂに記憶し、各第１及び第２新設定情報記憶領域５５Ａ、５５Ｂに記憶されている各新設定パターンテーブル７０、７１に登録番号「Ｎｏ．１」、「Ｎｏ．２」を付加後、設定メモリ処理のサブフローチャートに戻る。
【００６４】
一方、ＣＰＵ５１は、Ｓ５１で、各第１乃至第３新設定情報記憶領域５５Ａ〜５５Ｃに新設定パターンテーブルが格納されていないと判定した場合は（Ｓ５１：ＮＯ）、Ｓ５６で、液晶表示装置６の表示画面に「エラー」表示を行い、設定メモリ処理のサブフローチャートに戻る。
【００６５】
ここで、設定メモリ処理のＳ３６〜Ｓ４０の処理における液晶表示装置６の表示画面の一例を、「設定項目」のうちの「シフト」の設定条件を設定する場合について図１２及び図１３に基づいて説明する。
先ず、図１２（Ａ）に示すように、「設定項目」が「シフト」の場合で、「順序１」の設定条件を選択する場合には、「順序１」の設定条件を表す「１：」と共に、設定条件テーブル６５の「設定項目」が「シフト」の第１順位の「大文字」が表示画面に表示される。そして、カーソルキー１６が押下された場合には、図１２（Ｂ）に示すように、「順序１」の設定条件を表す「１：」と共に、設定条件テーブル６５の「設定項目」が「シフト」の第２順位の「小文字」が表示画面に表示される。そしてまた、カーソルキー１６が押下された場合には、図１２（Ｃ）に示すように、「順序１」の設定条件を表す「１：」と共に、設定条件テーブル６５の「設定項目」が「シフト」の第３順位の「数字」が表示画面に表示される。続いて、カーソルキー１６が押下された場合には、図１２（Ｄ）に示すように、「順序１」の設定条件を表す「１：」と共に、設定条件テーブル６５の「設定項目」が「シフト」の第４順位の「記号」が表示画面に表示される。そして、カーソルキー１６が押下された場合には、図１２（Ｅ）に示すように、「順序１」の設定条件を表す「１：」と共に、設定条件テーブル６５の「設定項目」が「シフト」の第５順位の「ＯＦＦ」が表示画面に表示される。更に、カーソルキー１６が押下された場合には、図１２（Ａ）〜図１２（Ｅ）の表示画面が繰り返し順次表示される。
【００６６】
また、Ｓ３７の処理で、「設定項目」が「シフト」の「順序１」の設定条件として「大文字」が選択された場合で、「順序２」の設定条件を選択する場合には、図１３（Ａ）に示すように、「順序２」の設定条件を表す「２：」と共に、設定条件テーブル６５の「設定項目」が「シフト」の「大文字」以外の第１順位の設定条件である「小文字」が表示画面に表示される。そして、カーソルキー１６が押下された場合には、図１３（Ｂ）に示すように、「順序２」の設定条件を表す「２：」と共に、設定条件テーブル６５の「設定項目」が「シフト」の「大文字」以外の第２順位の設定条件である「数字」が表示画面に表示される。そしてまた、カーソルキー１６が押下された場合には、図１３（Ｃ）に示すように、「順序２」の設定条件を表す「２：」と共に、設定条件テーブル６５の「設定項目」が「シフト」の「大文字」以外の第３順位の設定条件である「記号」が表示画面に表示される。続いて、カーソルキー１６が押下された場合には、図１３（Ｄ）に示すように、「順序２」の設定条件を表す「２：」と共に、設定条件テーブル６５の「設定項目」が「シフト」の「大文字」以外の第４順位の設定条件である「ＯＦＦ」が表示画面に表示される。更に、カーソルキー１６が押下された場合には、図１３（Ａ）〜図１３（Ｄ）の表示画面が繰り返し順次表示される。
【００６７】
尚、液晶表示装置６の表示画面の左端部には、各文字種マークＭ１、Ｍ２が表示され、文章入力時（Ｓ１０）に各文字種マークＭ１、Ｍ２が白丸表示の場合には、アルファベット小文字の文字種類での入力モードであることを表している。また、文章入力時（Ｓ１０）に文字種マークＭ１が黒丸表示で、文字種マークＭ２が白丸表示の場合には、アルファベット大文字の文字種類での入力モードであることを表している。また、文章入力時（Ｓ１０）に文字種マークＭ１が白丸表示で、文字種マークＭ２が黒丸表示の場合には、数字の文字種類での入力モードであることを表している。
【００６８】
次に、Ｓ１２で実行される文字種類切り替えの設定等を実行するシフト処理のサブ処理について図１４に基づいて説明する。
図１４に示すように、Ｓ６１において、ＣＰＵ５１は、先ず、押下されたキーが文字種切替キー１３２の場合には、設定情報書き込み処理（Ｓ６）により入力設定情報記憶領域５７Ｅに記憶されている設定パターン（初期設定パターンテーブル６６又は各第１乃至第３新設定パターン７０、７１、７２のうちのいずれかの設定パターンである。）の「設定項目」の「シフト」において、現在設定されている文字種類が記憶されている順序欄を「順序１」〜「順序５」のうちから特定する。
続いて、Ｓ６２において、ＣＰＵ５１は、この「順序１」〜「順序５」のうちから特定した順序欄の次の順序欄に「大文字」、「小文字」、又は「数字」のいずれかが記憶されているか否かを判定する判定処理を実行する。
そして、この特定した順序欄の次の順序欄に「大文字」、「小文字」、又は「数字」のいずれかが記憶されている場合には（Ｓ６２：ＹＥＳ）、Ｓ６３において、この次の順序欄に記憶されている文字種類を新たな文字入力モードとして入力モード記憶領域５７Ｄに記憶後、メインフローチャートに戻る。これにより、次の順序欄に「大文字」が記憶されている場合には、アルファベット大文字の入力モードが設定される。また、次の順序欄に「小文字」が記憶されている場合には、アルファベット小文字の入力モードが設定される。また、次の順序欄に「数字」が記憶されている場合には、数字の入力モードが設定される。
【００６９】
一方、この特定した順序欄の次の順序欄に「大文字」、「小文字」、又は「数字」のいずれかが記憶されていない場合には（Ｓ６２：ＮＯ）、Ｓ６４において、ＣＰＵ５１は、当該「シフト」の「順序１」→「順序５」の順に各順序欄のうち「大文字」、「小文字」、又は「数字」のいずれかが記憶されている最初の順序欄を特定し、この順序欄に記憶されている文字種類を新たな文字入力モードとして入力モード記憶領域５７Ｄに記憶後、メインフローチャートに戻る。これにより、文字種切替キー１３２を連続して押下することによって、当該「シフト」の「順序１」〜「順序５」の順序欄に記憶されている文字種類に限り繰り返し順次切り替えることができる。
【００７０】
また、ＣＰＵ５１は、Ｓ６１の処理を実行する際に、設定パターンの「設定項目」の「シフト」において、「順序１」〜「順序５」に記憶されている内容を読み出し、「順序１」〜「順序５」のうちのいずれかの順序欄に「記号」が記憶されているか否かを判定する判定処理を実行する。そして、「順序１」〜「順序５」のうちのいずれかの順序欄に「記号」が記憶されている場合には、記号入力キー１３１を押下することによって各記号を入力できる入力モードであることを新たな文字入力モードとして入力モード記憶領域５７Ｄに記憶する。一方、「順序１」〜「順序５」のうちのいずれかの順序欄に「記号」が記憶されていない場合には、記号入力キー１３１の機能が動作しない、即ち記号が入力できない入力モードであることを新たな文字入力モードとして入力モード記憶領域５７Ｄに記憶する。
【００７１】
次に、Ｓ１４で実行されるファンクションキー１３の押下によって文字サイズを変更するサイズ設定処理のサブ処理について図１５に基づいて説明する。
図１５に示すように、Ｓ７１〜Ｓ７４において、上記Ｓ６１〜Ｓ６４の制御処理と同じ制御処理を実行する。即ち、Ｓ７１において、ＣＰＵ５１は、「設定項目」の「文字サイズ」において、現在設定されている文字サイズの種類が記憶されている順序欄を「順序１」〜「順序５」のうちから特定する。
続いて、Ｓ７２において、ＣＰＵ５１は、この「順序１」〜「順序５」のうちから特定した順序欄の次の順序欄に「１」〜「５」、のいずれかが記憶されているか否かを判定する判定処理を実行する。そして、この特定した順序欄の次の順序欄に「１」〜「５」のいずれかが記憶されている場合には（Ｓ７２：ＹＥＳ）、Ｓ７３において、この次の順序欄に記憶されている文字サイズの種類を新たな文字サイズとして入力モード記憶領域５７Ｄに記憶後、メインフローチャートに戻る。
一方、この特定した順序欄の次の順序欄に「１」〜「５」のいずれかが記憶されていない場合には（Ｓ７２：ＮＯ）、Ｓ７４において、ＣＰＵ５１は、当該「文字サイズ」の「順序１」の順序欄に記憶されている文字サイズの種類を新たな文字サイズの入力モードとして入力モード記憶領域５７Ｄに記憶後、メインフローチャートに戻る。これにより、ファンクションキー１３を連続して押下することによって、当該「文字サイズ」の「順序１」〜「順序５」の順序欄に記憶されている文字サイズの種類に限り繰り返し順次切り替えることができる。
【００７２】
次に、Ｓ１６で実行されるファンクションキー１３の押下によって印字文字の文字修飾を変更する修飾設定処理のサブ処理について図１６に基づいて説明する。
図１６に示すように、Ｓ８１〜Ｓ８４において、上記Ｓ６１〜Ｓ６４の制御処理と同じ制御処理を実行する。即ち、Ｓ８１において、ＣＰＵ５１は、「設定項目」の「修飾」において、現在設定されている文字修飾の種類が記憶されている順序欄を「順序１」〜「順序５」のうちから特定する。
続いて、Ｓ８２において、ＣＰＵ５１は、この「順序１」〜「順序５」のうちから特定した順序欄の次の順序欄に「無し」、「太字」、「白抜き」、「影」、「斜体」のいずれかが記憶されているか否かを判定する判定処理を実行する。そして、この特定した順序欄の次の順序欄に「無し」、「太字」、「白抜き」、「影」、「斜体」のいずれかが記憶されている場合には（Ｓ８２：ＹＥＳ）、Ｓ８３において、この次の順序欄に記憶されている文字修飾の種類を新たな文字修飾として入力モード記憶領域５７Ｄに記憶後、メインフローチャートに戻る。
一方、この特定した順序欄の次の順序欄に「無し」、「太字」、「白抜き」、「影」、「斜体」のいずれかが記憶されていない場合には（Ｓ８２：ＮＯ）、Ｓ８４において、ＣＰＵ５１は、当該「修飾」の「順序１」の順序欄に記憶されている文字修飾の種類を新たな文字修飾の入力モードとして入力モード記憶領域５７Ｄに記憶後、メインフローチャートに戻る。これにより、ファンクションキー１３を連続して押下することによって、当該「修飾」の「順序１」〜「順序５」の順序欄に記憶されている文字修飾の種類に限り繰り返し順次切り替えることができる。
【００７３】
次に、上記設定メモリ処理（Ｓ３１〜Ｓ４４）により各第１乃至第３新設定情報記憶領域５５Ａ〜５５Ｃに格納される各第１乃至第３新設定パターンテーブル７０〜７２を入力設定情報として入力設定情報記憶領域５７Ｅに読み込んだ場合に、各切替キー１３１、１３２やファンクションキー１３を押下することによって設定できる各機能の設定内容についての一例を図１７乃至図１９に基づいて説明する。
先ず、第１新設定パターンテーブル７０を入力設定情報として入力設定情報記憶領域５７Ｅに読み込んだ場合の一例について図１７に基づいて説明する。図１７に示すように、該第１新設定パターンテーブル７０は、初期設定パターンテーブル６６と同様に構成されている。
よって、第１新設定パターンテーブル７０は、設定変更可能な各種設定項目を表す「設定項目」と、この「設定項目」に対応して各切替キー１３１、１３２等を押下することによって切り替えて選択できる機能の選択順番を表す「順序１」〜「順序５」とから構成されている。また、「設定項目」には、「シフト」と、「文字サイズ」と、「修飾」とが予め登録されている。
また、この「シフト」に対応する「順序１」には、「大文字」が登録されている。また、この「シフト」に対応する「順序２」には、「数字」が登録されている。また、この「シフト」に対応する「順序３」〜「順序５」には、「ＯＦＦ」が登録されている。これにより、当該第１新設定パターンテーブル７０を入力設定情報として入力設定情報記憶領域５７Ｅに読み込んだ場合には、文字種切替キー１３２を押下することによって１番目にアルファベット大文字の入力モードが設定でき、２番目に数字の入力モードが設定でき再度、連続して文字種切替キー１３２を押下することによってアルファベット大文字の入力モードと数字の入力モードとが繰り返し順次設定できる、即ち、アルファベット小文字の入力モードの設定ができないように設定される。また、記号入力キー１３１を押下しても各記号を入力することができない、即ち、記号入力キー１３１は機能しないように設定される。
【００７４】
また、この「文字サイズ」に対応する「順序１」〜「順序５」には、「５」〜「１」が登録されている。これにより、当該第１新設定パターンテーブル７０を入力設定情報として入力設定情報記憶領域５７Ｅに読み込んだ場合には、印字文字サイズの設定時にファンクションキー１３を連続して押下することによって１番目乃至５番目に６４、４８、３２、２４、１６ドットの各ドットサイズの印字文字サイズが設定され、更に連続して押下された場合には、６４、４８、３２、２４、１６ドットの各ドットサイズの印字文字サイズが繰り返し順次設定される。
また、この「修飾」に対応する「順序１」には、「無し」が登録されている。また、この「修飾」に対応する「順序２」には、「太字」が登録されている。また、この「修飾」に対応する「順序３」〜「順序５」には、「ＯＦＦ」が登録されている。これにより、当該第１新設定パターンテーブル７０を入力設定情報として入力設定情報記憶領域５７Ｅに読み込んだ場合には、印字文字の文字修飾の設定時に、ファンクションキー１３を連続して押下することによって、１番目に文字修飾を行わない通常の文字修飾が設定され、２番目に太字の文字修飾が設定され、更に連続して押下された場合には、通常の文字修飾と太字の文字修飾とが繰り返し順次設定される。
【００７５】
次に、第２新設定パターンテーブル７１を入力設定情報として入力設定情報記憶領域５７Ｅに読み込んだ場合の一例について図１８に基づいて説明する。図１８に示すように、該第２新設定パターンテーブル７１は、初期設定パターンテーブル６６と同様に構成されている。
よって、第２新設定パターンテーブル７１は、設定変更可能な各種設定項目を表す「設定項目」と、この「設定項目」に対応して各切替キー１３１、１３２等を押下することによって切り替えて選択できる機能の選択順番を表す「順序１」〜「順序５」とから構成されている。また、「設定項目」には、「シフト」と、「文字サイズ」と、「修飾」とが予め登録されている。
また、この「シフト」に対応する「順序１」には、「小文字」が登録されている。また、この「シフト」に対応する「順序２」には、「数字」が登録されている。また、この「シフト」に対応する「順序３」には、「記号」が登録されている。また、この「シフト」に対応する「順序４」及び「順序５」には、「ＯＦＦ」が登録されている。これにより、当該第２新設定パターンテーブル７１を入力設定情報として入力設定情報記憶領域５７Ｅに読み込んだ場合には、文字種切替キー１３２を押下することによって１番目にアルファベット小文字の入力モードが設定でき、２番目に数字の入力モードが設定でき、再度、連続して文字種切替キー１３２を押下することによってアルファベット小文字の入力モードと数字の入力モードとが繰り返し順次設定できる、即ち、アルファベット大文字の入力モードの設定ができないように設定される。また、記号入力キー１３１を押下することによって、各記号を入力できるように設定される。
【００７６】
また、この「文字サイズ」に対応する「順序１」には、「２」が登録されている。また、この「文字サイズ」に対応する「順序２」〜「順序５」には、「ＯＦＦ」が登録されている。これにより、当該第２新設定パターンテーブル７１を入力設定情報として入力設定情報記憶領域５７Ｅに読み込んだ場合には、印字文字サイズの設定時にファンクションキー１３を連続して押下しても、２４ドットサイズの印字文字サイズに限り設定され、その他のドットサイズの印字文字サイズの設定はできない。
また、この「修飾」に対応する「順序１」には、「無し」が登録されている。また、この「修飾」に対応する「順序２」〜「順序５」には、「ＯＦＦ」が登録されている。これにより、当該第２新設定パターンテーブル７１を入力設定情報として入力設定情報記憶領域５７Ｅに読み込んだ場合には、印字文字の文字修飾の設定時に、ファンクションキー１３を連続して押下しても、文字修飾を行わない通常の文字修飾に限り設定され、他の文字修飾の設定はできない。
【００７７】
次に、第３新設定パターンテーブル７２を入力設定情報として入力設定情報記憶領域５７Ｅに読み込んだ場合の一例について図１９に基づいて説明する。図１９に示すように、該第３新設定パターンテーブル７２は、初期設定パターンテーブル６６と同様に構成されている。
よって、第３新設定パターンテーブル７２は、設定変更可能な各種設定項目を表す「設定項目」と、この「設定項目」に対応して各切替キー１３１、１３２等を押下することによって切り替えて選択できる機能の選択順番を表す「順序１」〜「順序５」とから構成されている。また、「設定項目」には、「シフト」と、「文字サイズ」と、「修飾」とが予め登録されている。
また、この「シフト」に対応する「順序１」には、「大文字」が登録されている。また、この「シフト」に対応する「順序２」には、「数字」が登録されている。また、この「シフト」に対応する「順序３」には、「小文字」が登録されている。また、この「シフト」に対応する「順序４」及び「順序５」には、「ＯＦＦ」が登録されている。これにより、当該第３新設定パターンテーブル７１を入力設定情報として入力設定情報記憶領域５７Ｅに読み込んだ場合には、文字種切替キー１３２を押下することによって１番目にアルファベット大文字の入力モードが設定でき、２番目に数字の入力モードが設定でき、３番目にアルファベット小文字の入力モードが設定でき、再度、連続して文字種切替キー１３２を押下することによってアルファベット大文字の入力モード→数字の入力モード→アルファベット小文字の入力モードとが繰り返し順次設定される。また、記号入力キー１３１を押下しても各記号を入力することができない、即ち、記号入力キー１３１は機能しないように設定される。
【００７８】
また、この「文字サイズ」に対応する「順序１」には、「４」が登録されている。また、この「文字サイズ」に対応する「順序２」〜「順序５」には、「ＯＦＦ」が登録されている。これにより、当該第３新設定パターンテーブル７２を入力設定情報として入力設定情報記憶領域５７Ｅに読み込んだ場合には、印字文字サイズの設定時にファンクションキー１３を連続して押下しても、４８ドットサイズの印字文字サイズに限り設定され、その他のドットサイズの印字文字サイズの設定はできない。
また、この「修飾」に対応する「順序１」には、「無し」が登録されている。また、この「修飾」に対応する「順序２」〜「順序５」には、「ＯＦＦ」が登録されている。これにより、当該第３新設定パターンテーブル７２を入力設定情報として入力設定情報記憶領域５７Ｅに読み込んだ場合には、印字文字の文字修飾の設定時に、ファンクションキー１３を連続して押下しても、文字修飾を行わない通常の文字修飾に限り設定され、他の文字修飾の設定はできない。
【００７９】
ここで、アクセント入力キー１２１及び各文字入力キー１２２〜１３０、記号キー１３１、文字種切替キー１３２、ファンクションキー１３、バックスペースキー１４、印字キー１５、カーソルキー１６、電源ボタン１７、リターンキー１８は、キー入力手段を構成する。また、液晶表示装置６、ＬＣＤＣ５８、ビデオＲＡＭ５８Ａは、表示手段を構成する。また、初期設定情報記憶領域５６Ｄは、初期設定情報記憶手段として機能する。また、ＣＰＵ５１、ＭＲＯＭ５６、ＣＧＲＯＭ５４は、表示制御手段として機能する。また、文字種切替キー１３２、ファンクションキー１３、ＣＰＵ５１、ＭＲＯＭ５６は、指定手段を構成する。また、ＣＰＵ５１、ＭＲＯＭ５６、ＲＡＭ５７は、入力編集制御手段を構成する。また、文字種切替キー１３２、ファンクションキー１３、ＣＰＵ５１、ＭＲＯＭ５６、液晶表示装置６は、設定条件選択手段を構成する。また、ＣＰＵ５１、フラッシュＥＥＰＲＯＭ５５、ＭＲＯＭ５６は、登録手段を構成する。また、文字種切替キー１３２、ファンクションキー１３、ＣＰＵ５１、フラッシュＥＥＰＲＯＭ５５、ＭＲＯＭ５６、ＲＡＭ５７、液晶表示装置６は、パターン選択手段及びパターン消去手段を構成する。また、入力設定情報記憶領域５７Ｅは、設定条件保持手段として機能する。また、フラッシュＥＥＰＲＯＭ５５は、新設定情報記憶手段として機能する。また、テープ送りモータ２５、サーマルヘッド３３、各駆動回路５９、６０、プラテンホルダ３５及びプラテンローラ２３は、印字手段を構成する。
【００８０】
上記説明した通り、本実施形態に係るテープ印字装置１では、設定条件パターンテーブル６５に記憶される出力用データの入力又は編集に係る「シフト」、「文字サイズ」、「修飾」の３種類の「設定項目」のそれぞれに対応する複数の設定条件から任意の設定条件を少なくとも１個ずつ選択して、該各「設定項目」に対応する設定条件とする新設定パターンテーブル（第１乃至第３新設定パターン７０、７１、７２のいずれか）を作成してフラッシュＥＥＰＲＯＭ５５に登録することができる。そして、この新設定パターンテーブルが登録されている場合には、初期設定パターンテーブル６６に替えて該フラッシュＥＥＰＲＯＭ５５に格納される新設定パターンテーブルに記憶される各設定項目に対応する複数の設定条件が選択可能な設定条件とされるため、初期設定パターンテーブル６５に記憶される各設定項目の不要な設定条件を削除して新設定パターンテーブルとすることによって、該各設定項目の設定条件を使用状況に合わせて変更することができる。また、該新設定パターンテーブルに記憶される各設定項目の設定条件の個数を初期設定パターンテーブル６６に比較して少なくすることができるため、文字種類などの選択するための文字種切替キー１３２やファンクションキー１３のキー入力回数を確実に減少させることが可能となり、各設定項目の設定を迅速且つ簡易に行うことができ、操作性の向上を図ることができる。
また、第１乃至第３新設定パターンテーブル７０、７１、７２から一の新設定パターンテーブルを選択することができるため、各ユーザの使用状況に合わせて第１乃至第３新設定パターンテーブル７０、７１、７２を予め登録することにより、使用状況に応じて使い分けが可能となる。
また、登録されている任意の第１乃至第３新設定パターンテーブル７０、７１、７２を削除することができるため、使用状況に応じて不必要な新設定パターンテーブルを削除して新たな新設定パターンテーブルを登録することができ、フラッシュＥＥＰＲＯＭ５５の記憶容量の小型化を図ることができると共に、メモリの使用効率の向上を図ることができる。
また、設定条件テーブル６５の各設定条件から選択された設定条件を各設定項目に対応する新設定パターンテーブルの各設定条件としてＲＡＭ５７に一時記憶後、そのＲＡＭ５７に一時記憶された新設定パターンテーブルを各第１乃至第３新設定情報記憶領域５５Ａ〜５５Ｃに格納することにより、該テープ印字装置１の電源を切っても当該各第１乃至第３新設定パターンテーブル７０、７１、７２が書き換え可能な不揮発性メモリであるフラッシュＥＥＰＲＯＭ５５に格納されて失われないため、再起同時またはリセット時に該各第１乃至新設定パターンテーブル７０、７１、７２を再度読み出すことができ、使用状況に合わせた使い分けを確実に行うことができる。また、電池電源のテープ印字装置１においては、乾電池２８が切れても該各第１乃至新設定パターンテーブル７０、７１、７２を保持することができるため、各設定項目の設定を迅速且つ簡易に行うことができ、操作性の向上を図ることができる。
また、初期設定情報記憶領域５６Ｄは、フラッシュＥＥＰＲＯＭ５５とは別の読み出し専用不揮発性メモリであるＭＲＯＭ５６に設けられているため、各第１乃至新設定パターンテーブル７０、７１、７２をＭＲＯＭ５６の初期設定情報記憶領域５６Ｄに誤って格納することを確実に防止することができると共に、電源を切っても初期設定パターンパターンテーブル６５を確実に保持することができる。
【００８１】
尚、本発明は前記本実施形態に限定されることはなく、本発明の要旨を逸脱しない範囲内で種々の改良、変形が可能であることは勿論である。例えば、以下のようにしてもよい。
（Ａ）前記実施形態のＭＲＯＭ５６に代えて、図２０に示すように、一括電気的消去及び書き込み可能な読み出し専用メモリ（フラッシュＥＥＰＲＯＭ）６１を設け、該フラッシュＥＥＰＲＯＭ６１に、文字種切替キー１３２が起動後最初に押下された場合に、文字種類を切り替える初期切り替え順番（本実施形態では、「アルファベット小文字」→「アルファベット大文字」→「数字」の順番になっている。）を記憶する初期切替順記憶領域６１Ａ、アクセント入力キー１２１が押下された場合に、アクセント記号の種類を切り替える切り替え順番（本実施形態では、ウムラウト記号→アクサンテギュ記号→アクサングラーブ記号→アクサンシルコンフレックス記号→チルダー記号の順番になっている。）を記憶するアクセント切替順記憶領域６１Ｂ、各切替キー１３１、１３２によって変更可能な機能の全種類やファンクションキー１３によって変更可能な文字サイズの全種類、及び入力文字の編集時に行う文字の太字、斜体などの文字装飾の設定可能な全種類を記憶する設定条件テーブル６５が格納される設定情報記憶領域６１Ｃ、起動時に選択される各切替キー１３１、１３２によって変更可能な機能の種類や文字サイズの変更可能な種類、及び入力文字の編集時に行う文字の太字、斜体などの文字装飾の設定可能な種類の初期設定パターンを記憶する初期設定パターンテーブル６６が格納される初期設定情報記憶領域６１Ｄを設けた構成にしてもよい。これにより、フラッシュＥＥＰＲＯＭ６１は、各第１乃至第３新設定情報記憶領域５５Ａ〜５５Ｃが設けられるフラッシュＥＥＰＲＯＭ５５とは別に形成されているため、初期設定パターンテーブル６５の設定条件も書き換え可能になると共に、電源を切っても初期設定パターンテーブル６６を確実に保持することができる。
（Ｂ）前記実施形態では、フラッシュＥＥＰＲＯＭ５５とＭＲＯＭ５６とを別々に設けたが、図２１に示すように、ビット毎に電気的消去及び書き込み可能な読み出し専用メモリ（ＥＥＰＲＯＭ）６２上に記憶領域を分けて、上記各記憶領域５６Ａ〜５６Ｄ、５５Ａ〜５５Ｄをそれぞれ各記憶領域６２Ａ〜６２Ｈとする構成にしてもよい。これにより、設定条件テーブル６５、初期設定パターンテーブル６６、各第１乃至第３新設定パターンテーブル７０、７１、７２は、同一不揮発性メモリ上に設けられているため、電源を切っても各テーブル６５、６６、７０〜７１を確実に保持することができる。
（Ｃ）前記実施形態では、Ｓ３７〜Ｓ４０において新設定パターンテーブルをＲＡＭ５７に一時記憶後、Ｓ４１〜Ｓ４４においてフラッシュＥＥＰＲＯＭ５５に格納したが、Ｓ３７〜Ｓ４０において選択された各設定条件を直接フラッシュＥＥＰＲＯＭ５５に格納し、Ｓ４１〜Ｓ４４においてこのフラッシュＥＥＰＲＯＭ５５に格納された新設定パターンテーブルを修正する構成にしてもよい。これにより、ＲＡＭ５７の記憶容量の小型化を図ることができる。
【００８２】
【発明の効果】
以上説明した通り、本発明に係る入力装置によれば、初期設定パターンに記憶される出力用データの入力又は編集に係る複数種類の設定項目（例えば、文字種類、文字サイズ、太字や斜体等の文字修飾、書体など）のそれぞれに対応する複数の設定条件から設定条件選択手段を介して任意の設定条件を少なくとも１個ずつ選択して、該各設定項目に対応する新設定パターンとして登録することができる。そして、この新設定パターンが登録されている場合には、初期設定パターンに替えて該新設定パターンに記憶される各設定項目に対応する複数の設定条件が選択可能な設定条件とされるため、初期設定パターンの各設定項目の不要な設定条件を削除して新設定パターンとして登録することによって、該各設定項目の設定条件を使用状況に合わせて変更することができる。また、該新設定パターンに記憶される各設定項目の設定条件の個数を初期設定パターンに比較して少なくすることができるため、文字種類などを選択するためのキー入力回数を確実に減少させることが可能となり、各設定項目の設定を迅速且つ簡易に行うことができ、操作性の向上を図ることができる。
【００８３】
また、本発明に係るテープ印字装置によれば、長尺状のテープに印字する文字の出力用データの入力又は編集に係る複数種類の設定項目の初期設定条件から不要な設定条件を削除して、該各設定項目の設定条件を使用状況に合わせることができ、テープ印字装置の操作性の向上を図ることができる。また、この変更後の新設定パターンが書き換え可能な不揮発性メモリに格納される場合には、電源を切っても失われないため、再起同時またはリセット時に該変更後の新設定パターンを再度読み出すことができ、使用状況に合わせた使い分けを確実に行うことができる。また、電池電源のテープ印字装置においては、電池が切れても該新設定パターンを保持することができ、テープ印字装置の持ち運びが可能となると共に、操作性の更なる向上を図ることができる。
【図面の簡単な説明】
【図１】本実施形態に係るテープ印字装置の概略外観斜視図である。
【図２】本実施形態に係るテープ印字装置の概略平面図である。
【図３】本実施形態に係るテープ印字装置の概略断面図である。
【図４】本実施形態に係るテープ印字装置に装着される背面カバーを外してテープカセットを装着した状態を示す概略底面図である。
【図５】本実施形態に係るテープ印字装置の制御構成を示すブロック図である。
【図６】本実施形態に係るテープ印字装置のＭＲＯＭの設定情報記憶領域に記憶される設定条件テーブルの一例を示す図である。
【図７】本実施形態に係るテープ印字装置のＭＲＯＭの初期設定情報記憶領域に記憶される初期設定パターンテーブルの一例を示す図である。
【図８】本実施形態に係るテープ印字装置の文字入力の制御処理を示すメインフローチャートである。
【図９】本実施形態に係るテープ印字装置の文字入力の制御処理時に実行される設定情報書き込み処理を示すサブフローチャートである。
【図１０】本実施形態に係るテープ印字装置の文字入力の制御処理時に実行される設定メモリ処理を示すサブフローチャートである。
【図１１】本実施形態に係るテープ印字装置の設定メモリ処理の制御処理時に実行される消去処理を示すサブフローチャートである。
【図１２】本実施形態に係るテープ印字装置の設定メモリ処理の制御処理時に、「設定項目」が「シフト」の場合で、「順序１」の設定条件を選択する場合の処理における液晶表示装置の表示画面の一例を示す図である。
【図１３】本実施形態に係るテープ印字装置の設定メモリ処理の制御処理時に、設定項目」が「シフト」の「順序１」の設定条件として「大文字」が選択された場合で、「順序２」の設定条件を選択する場合の処理における液晶表示装置の表示画面の一例を示す図である。
【図１４】本実施形態に係るテープ印字装置の文字入力の制御処理時に実行されるシフト処理を示すサブフローチャートである。
【図１５】本実施形態に係るテープ印字装置の文字入力の制御処理時に実行されるサイズ設定処理を示すサブフローチャートである。
【図１６】本実施形態に係るテープ印字装置の文字入力の制御処理時に実行される修飾設定処理を示すサブフローチャートである。
【図１７】本実施形態に係るテープ印字装置の第１新設定情報記憶領域に格納される第１新設定パターンテーブルの一例を示す図である。
【図１８】本実施形態に係るテープ印字装置の第２新設定情報記憶領域に格納される第２新設定パターンテーブルの一例を示す図である。
【図１９】本実施形態に係るテープ印字装置の第３新設定情報記憶領域に格納される第３新設定パターンテーブルの一例を示す図である。
【図２０】他の実施形態に係るテープ印字装置の制御構成を示すブロック図である。
【図２１】他の実施形態に係るテープ印字装置の制御構成を示すブロック図である。
【符号の説明】
１                テープ印字装置
２                本体
６                液晶表示装置
９                感熱テープ
１６              カーソルキー
１８              ファンクションキー
２６              テープカセット
２８              乾電池
３３              サーマルヘッド
５１              ＣＰＵ
５５              フラッシュＥＥＰＲＯＭ
５５Ａ            第１新設定情報記憶領域
５５Ｂ            第２新設定情報記憶領域
５５Ｃ            第３新設定情報記憶領域
５６              ＭＲＯＭ
５６Ｃ            設定情報記憶領域
５６Ｄ            初期設定情報記憶領域
５７              ＲＡＭ
５７Ｄ            入力モード記憶領域
５７Ｅ            入力設定情報記憶領域
６５              設定条件テーブル
６６              初期設定パターンテーブル
７０              第１新設定パターンテーブル
７１              第２新設定パターンテーブル
７２              第３新設定パターンテーブル
１２１            アクセント入力キー
１２２〜１３０    文字入力キー
１３１            記号入力キー
１３２            文字種切替キー
【図１】
2004299180.tif 000003
【図２】
2004299180.tif 000004
【図３】
2004299180.tif 000005
【図４】
2004299180.tif 000006
【図５】
2004299180.tif 000007
【図６】
2004299180.tif 000008
【図７】
2004299180.tif 000009
【図８】
2004299180.tif 000010
【図９】
2004299180.tif 000011
【図１０】
2004299180.tif 000012
【図１１】
2004299180.tif 000013
【図１２】
2004299180.tif 000014
【図１３】
2004299180.tif 000015
【図１４】
2004299180.tif 000016
【図１５】
2004299180.tif 000017
【図１６】
2004299180.tif 000018
【図１７】
2004299180.tif 000019
【図１８】
2004299180.tif 000020
【図１９】
2004299180.tif 000021
【図２０】
2004299180.tif 000022
【図２１】
2004299180.tif 000023